(57)【要約】      （修正有）【課題】包装体をワンステップで展開した状態において、複数の母乳パッドの一部を直接視認することができ、速やかに取出し操作を行うことのできる母乳パッドの包装体の提供。【解決手段】第１及び第２母乳パッド３０ａ、３０ｂは、パッド折曲線に沿う近位縁部６３と、折り重ねられた部分の外周縁部が互いに重なり合ってなる遠位縁部６４とを有する。包装シート２０が展開されて第１母乳パッド３０ａの遠位縁部６４の少なくとも一部が外部に露出されたときに、第２母乳パッド３０ｂの遠位縁部６４の少なくとも一部が外部に露出される。【選択図】図３
2019112080.tif 000002
【特許請求の範囲】
【請求項１】
第１方向とそれに交差する第２方向と厚さ方向とを有し、包装シートと、前記包装シートに包装された複数の母乳パッドを含む包装体において、
前記複数の母乳パッドは、前記第２方向へ延びるパッド折曲線を介して折曲された第１及び第２母乳パッドを有し、
前記第１及び第２母乳パッドは、前記パッド折曲線に沿う近位縁部と、折り重ねられた部分の外周縁部が互いに重なり合ってなる遠位縁部とを有し、
前記包装シートが展開されて前記第１母乳パッドの前記遠位縁部の少なくとも一部が外部に露出されたときに、前記第２母乳パッドの前記遠位縁部の少なくとも一部が外部に露出されることを特徴とする包装体。
【請求項２】
包装状態において、前記第１及び第２母乳パッドは前記厚さ方向において互いに対向して位置し、前記第１方向における前記第１母乳パッドの前記遠位縁部の向きと前記第２母乳パッドの前記遠位縁部の向きとが互いに相異しており、
展開状態において、前記第１方向における前記第１母乳パッドの前記遠位縁部の向きと前記第２母乳パッドの前記遠位縁部の向きとが同じである請求項１に記載の包装体。
【請求項３】
包装状態において、前記第１及び第２母乳パッドは前記第１方向において互いに並んで位置し、
展開状態において、前記第１方向における前記第１母乳パッドの前記遠位縁部の向きと前記第２母乳パッドの前記遠位縁部の向きとが同じある請求項１に記載の包装体。
【請求項４】
包装状態において、前記第１及び第２母乳パッドは前記第１方向において互いに並んで位置し、
展開状態において、前記第１母乳パッドの前記遠位縁部の向きと前記第２母乳パッドの前記遠位縁部の向きとが互いに相異している請求項１に記載の包装体。
【請求項５】
前記包装シートは、前記第１及び第２母乳パッドが配置された内面とその反対側の外面とを有し、前記第１方向において対向する第１及び第２端縁と、前記第２方向において対向する第１及び第２側縁と、前記内面と前記厚さ方向に対向して前記第２方向へ延びる被覆部とを有し、
前記第１及び第２母乳パッドは、前記パッド折曲線を介して互いに折り重ねられた第１域と第２域とを有し、前記第１域は前記被覆部と対向する前記包装シートの前記内面に当接されており、
展開状態において、前記第１及び第２母乳パッドの前記遠位縁部は前記第１端縁側へ向いており、
前記第１及び第２母乳パッドのうちの少なくとも一方の前記近位縁部と前記遠位縁部の一部とは、前記被覆部によって被覆される請求項１〜４のいずれかに記載の包装体。
【請求項６】
前記第１域の前記外周縁部が前記第２域の前記外周縁部よりも前記第１端縁側へ延出している請求項５に記載の包装体。
【請求項７】
前記第１及び第２母乳パッドは、肌対向面側に位置する透液性の内面シートと、非肌対向面側に位置する不透液性の外面シートと、前記内外面シート間に介在された吸収体と、前記吸収体の外周から延出する前記内外面シートから形成された外周フラップとを有する請求項１〜６のいずれかに記載の包装体。
【請求項８】
前記第２域の前記外周縁部の端縁は、前記第１域における前記外周縁部の端縁よりも前記第１端縁側に位置する請求項７に記載の包装体。
【請求項９】
前記第２域の前記外周縁部の端縁は、前記第１域における前記外周縁部の端縁よりも前記第２端縁側に位置する請求項７に記載の包装体。
【請求項１０】
前記吸収体が、前記外周フラップとは異なる色に着色されている請求項７〜９のいずれかに記載の包装体。
【請求項１１】
前記第１域の外形寸法が前記第２域の外形寸法よりも大きい請求項５〜１０のいずれかに記載の包装体。
【請求項１２】
前記包装シートは、前記第１母乳パッドと前記第２母乳パッドとの間において前記第２方向へ延びる分離手段をさらに有する請求項１〜１１のいずれかに記載の包装体。
【請求項１３】
前記包装シートは、互いに重なり合わされた第１及び第２シートをさらに有し、前記第１シートの前記内面に前記第１母乳パッドが配置され、前記第２シートの前記内面に前記第２母乳パッドが配置されており、前記第１シートと前記第２シートとの互いに対向する面どうしが接合部を介して分離可能に接合される請求項１〜１２のいずれかに記載の包装体。
【発明の詳細な説明】
【技術分野】
【０００１】
本発明は、複数の母乳パッドを含む包装体に関する。
【背景技術】
【０００２】
従来、包装シートに包装された複数の母乳パッドを含む包装体は公知である。例えば、特許文献１には、互いに交差する横方向と縦方向と厚さ方向とを有し、包装シートに包装された複数の母乳パッドを含む包装体が開示されている。包装体は、縦方向へ展開可能であって、包装状態において、パッド折曲線に沿って２つ折りにされた複数の母乳パッドが、厚さ方向において互いに対向するように配置されている。
【先行技術文献】
【特許文献】
【０００３】
【特許文献１】特開２０００−３０９３９１号公報
【発明の概要】
【発明が解決しようとする課題】
【０００４】
引用文献１に開示されている母乳パッドの包装体においては、包装シートの縦方向における両端部分が中央部分に向かって折り曲げられ、両端部分と中央部分との間にそれぞれ母乳パッドが介在されている。かかる包装体から母乳パッドを取り出すときには、母乳パッドを被覆する包装シートの両端部分を観音開きするように、縦方向において互いに異なる向きに展開する必要があることから、一方の母乳パッドを取り出した後に、他方の母乳パッドを取り出すときには、展開する持ち手を逆にする必要があるので手間である。
【０００５】
また、包装体を複数の母乳パッドが縦方向へ並ぶようにワンステップで展開した状態において、複数の母乳パッドは、それらの全体が包装シートの両端部分に被覆されていることから、装着者は母乳パッドを直接視認することができない。そのため、装着者は、母乳パッドをそのまま取り出すことができず、両端部分を展開する操作（ツーステップ）が必要であって手間であり、また、母乳パッドを取り出すための次の操作を瞬時にイメージすることができない。装着者は、母乳パッドの交換に煩わしさを感じて日常的なストレスの一因となるおそれがある。
【０００６】
本発明は、包装体をワンステップで展開した状態において、複数の母乳パッドの一部を直接視認することができ、速やかに取出し操作を行うことのできる母乳パッドの包装体を提供することを課題とする。
【課題を解決するための手段】
【０００７】
前記課題を解決するために、第１方向とそれに交差する第２方向と厚さ方向とを有し、包装シートと、前記包装シートに包装された複数の母乳パッドを含む包装体に関する。
【０００８】
本発明に係る母乳パッドの包装体は、前記複数の母乳パッドは、前記第２方向へ延びるパッド折曲線を介して折曲された第１及び第２母乳パッドを有し、前記第１及び第２母乳パッドは、前記パッド折曲線に沿う近位縁部と、折り重ねられた部分の外周縁部が互いに重なり合ってなる遠位縁部とを有し、包装シートが展開されて前記第１母乳パッドの前記遠位縁部の少なくとも一部が外部に露出されたときに、前記第２母乳パッドの前記遠位縁部の少なくとも一部が外部に露出されることを特徴とする。
【０００９】
本発明に係る母乳パッドの包装体は、下記の好ましい実施態様を有する。
（１）包装状態において、前記第１及び第２母乳パッドは前記厚さ方向において互いに対向して位置し、前記第１方向における前記第１母乳パッドの前記遠位縁部の向きと前記第２母乳パッドの前記遠位縁部の向きとが互いに相異しており、
展開状態において、前記第１方向における前記第１母乳パッドの前記遠位縁部の向きと前記第２母乳パッドの前記遠位縁部の向きとが同じである。
（２）包装状態において、前記第１及び第２母乳パッドは前記第１方向において互いに並んで位置し、展開状態において、前記第１方向における前記第１母乳パッドの前記遠位縁部の向きと前記第２母乳パッドの前記遠位縁部の向きとが同じある。
（３）包装状態において、前記第１及び第２母乳パッドは前記第１方向において互いに並んで位置し、展開状態において、前記第１母乳パッドの前記遠位縁部の向きと前記第２母乳パッドの前記遠位縁部の向きとが互いに相異している。
（４）前記包装シートは、前記第１及び第２母乳パッドが配置された内面とその反対側の外面とを有し、前記第１方向において対向する第１及び第２端縁と、前記第２方向において対向する第１及び第２側縁と、前記内面と前記厚さ方向に対向して前記第２方向へ延びる被覆部とを有し、前記第１及び第２母乳パッドは、前記パッド折曲線を介して互いに折り重ねられた第１域と第２域とを有し、前記第１域は前記被覆部と対向する前記包装シートの前記内面に当接されており、
展開状態において、前記第１及び第２母乳パッドの前記遠位縁部は前記第１端縁側へ向いており、前記第１及び第２母乳パッドのうちの少なくとも一方の前記近位縁部と前記遠位縁部の一部とは、前記被覆部によって被覆される。
（５）前記第１域の前記外周縁部が前記第２域の前記外周縁部よりも前記第１端縁側へ延出している。
（６）前記第１及び第２母乳パッドは、肌対向面側に位置する透液性の内面シートと、非肌対向面側に位置する不透液性の外面シートと、前記内外面シート間に介在された吸収体と、前記吸収体の外周から延出する前記内外面シートから形成された外周フラップとを有する。
（７）前記第２域の前記外周縁部の端縁は、前記第１域における前記外周縁部の端縁よりも前記第１端縁側に位置する。
（８）前記第２域の前記外周縁部の端縁は、前記第１域における前記外周縁部の端縁よりも前記第２端縁側に位置する。
（９）前記吸収体が、前記外周フラップとは異なる色に着色されている。
（１０）前記第１域の外形寸法が前記第２域の外形寸法よりも大きい。
（１１）前記包装シートは、前記第１母乳パッドと前記第２母乳パッドとの間において前記第２方向へ延びる分離手段をさらに有する。
（１２）前記包装シートは、互いに重なり合わされた第１及び第２シートをさらに有し、前記第１シートの前記内面に前記第１母乳パッドが配置され、前記第２シートの前記内面に前記第２母乳パッドが配置されており、前記第１シートと前記第２シートとの互いに対向する面どうしが接合部を介して分離可能に接合される。
【発明の効果】
【００１０】
本発明によれば、包装シートが展開されて第１母乳パッドの遠位縁部の少なくとも一部が外部に露出されたときに、第２母乳パッドの前記遠位縁部の少なくとも一部が外部に露出されることから、瞬時に第１及び第２母乳パッドの取出し方をイメージすることができ、速やかに、かつ、スムーズに取出し操作を行うことができる。
【図面の簡単な説明】
【００１１】
図面は、本発明の特定の実施の形態を示し、発明の不可欠な構成ばかりでなく、選択的および好ましい実施の形態含む。
【図１】本発明の第１実施形態に係る包装体の斜視図。
【図２】図１のＩＩ−ＩＩ線に沿う断面図。
【図３】包装シートを展開した状態における包装体の展開平面図。
【図４】図３のＩＶ−ＩＶに沿う断面図。
【図５】母乳パッドの平面図。
【図６】母乳パッドを２つ折りした状態における平面図。
【図７】包装シートから母乳パッドを取り外すときの様子を示す図。
【図８】包装体の変形例の一例における、図４と同様の断面図。
【図９】（ａ）包装体の他の変形例の一例における図６と同様の平面図。（ｂ）包装体のさらに他の変形例の一例における図３と同様の展開平面図。
【図１０】（ａ）包装体のさらに他の変形例の一例における図３と同様の展開平面図。（ｂ）図１０（ａ）のＸ（ｂ）−Ｘ（ｂ）線に沿う断面図。
【図１１】本発明の第２実施形態に係る包装体の斜視図。
【図１２】第２実施形態に係る包装体について、包装シートを展開した状態における展開平面図。
【図１３】本発明の第３実施形態に係る包装体の斜視図。
【図１４】第３実施形態に係る包装体について、包装シートを展開した状態における展開平面図。
【発明を実施するための形態】
【００１２】
添付の図面を参照し、この発明に係る包装体１０の詳細を説明すると、以下のとおりである。
【００１３】
＜第１実施形態＞
図１〜図３を参照すると、包装体１０は、互いに交差（直交）する縦方向（第１方向）Ｙと横方向（第２方向）Ｘと厚さ方向Ｚを有し、包装シート２０と、包装シート２０に包装された複数の母乳パッド３０ａ，３０ｂを含む。包装体１０において、包装シート２０はシート折曲線を介して折り曲げられ、複数の母乳パッド３０ａ，３０ｂは、厚さ方向Ｚにおいて互いに対向するように配置されている。母乳パッド３０ａ，３０ｂは、同形同大であって、同じ構成を有する第１の母乳パッド３０ａと第２の母乳パッド３０ｂとを有する。包装体１０は、縦方向において対向する両端縁１０ａ，１０ｂをさらに有する。
【００１４】
図３を参照すると、包装シート２０は、熱可塑性合成樹脂の繊維不織布、繊維不織布と繊維不織布又は繊維不織布と合成樹脂フィルムとからなるラミネートシートによって形成され、横方向の長さ寸法よりも縦方向の長さ寸法が大きい縦長矩形状を有する。包装シート２０は、その外形をなし、母乳パッド３０ａ，３０ｂが配置された内面２１Ａとその反対側に位置する外面２１Ｂとを有するシート本体２１と、縦方向において対向する第１及び第２端縁２２，２３と、横方向において対向する第１及び第２側縁２４，２５を有する。ここで、第１端縁２２とは、母乳パッド３０ａ，３０ｂの遠位縁部６４の向いている方向を意味する。
【００１５】
包装シート２０の内面には、２つ折りにされた母乳パッド３０ａ，３０ｂが縦方向において間隔を空けて配置されており、母乳パッド３０ａ，３０ｂは、それぞれ、内面において横方向へ延びる被覆部５０ａ，５０ｂによって被覆されている。被覆部５０ａ，５０ｂは、それぞれ、シート本体２１の両側縁部と重なる両側固定部５１，５２と、両側固定部５１間において横方向へ延びる閉鎖端（固定端）部５３と開口端部５４と、両側固定部５１，５２、閉鎖端部５３及び開口端部５４によって画成された収容スペースとを有する。
【００１６】
母乳パッド３０ａ，３０ｂは、２つ折りにされた状態で、被覆部５０ａ，５０ｂの収容スペース内に配置されており、その一部が開口端部５４から露出している。被覆部５０ａ，５０ｂは、シート本体２１と一体に形成されていてもよいし、シート本体２１と同じ又は異なる種類の繊維不織布からなる別体シートから形成されていてもよい。本実施形態においては、母乳パッド３０ａを被覆する被覆部５０ａは、シート本体２１とは別体であって、両側固定部５１，５２及び閉鎖端部５３において、シート本体２１に接着又は溶着によって接合されている。一方、母乳パッド３０ｂを被覆する被覆部５０ｂは、包装シート２０と一体であって、包装シート２０の端部を折り返して両側固定部５１，５２においてシート本体２１と接合することによって形成されている。
【００１７】
シート本体２１は、被覆部５０ａと被覆部５０ｂとの間において横方向へ延びるシート折曲線１８を有する。包装シート２０の第１端縁２２側の端部（開口端部）の外面２１Ｂには、包装シート２０の折り曲げ状態を維持するための止着部分を備えた止着タブ１９が配置されている。止着部分は、折曲状態において対向する包装シート２０の一部に剥離可能に止着可能なものであって、粘着剤、感圧性の接着剤又はメカニカルファスナのフック要素のいずれかが好適に用いられる。
【００１８】
包装シート２０は、その展開された状態から被覆部５０ａ，５０ｂ間に位置するシート折曲線１８に沿って、包装シート２０のシート折曲線１８から第１端縁２２側の部分（第１部分）をシート折曲線１８の第２端縁２３側に位置する部分（第２部分）へ向かって互いの内面が対向するように折り曲げ、第１端縁２２側の端部に位置する止着タブ１９を第２部分の外面（母乳パッド３０ｂと対向する部分）に止着することによって、包装体１０が形成されている。包装シート２０は、両側縁部の互いに重ね合された部分どうしが溶着されてシール部１５が形成されている。
【００１９】
本明細書において、包装体１０が包装状態にあるとは、包装状態を維持するための止着タブ１９による止着がなされている状態を含め、包装体１０が市販されたときの状態（包装パッケージに収容された状態も含む）であることを意味する。したがって、包装状態とは、所定の包装形態が維持されている限りにおいて、止着タブ１９を有さず、包装シート２０が折り重ねられた状態も含む。また、包装シート２０（包装体１０）が展開された状態とは、母乳パッド３０ａ，３０ｂのうちのいずれか一方の母乳パッド３０ａ，３０ｂの遠位縁部６４の一部が外部に露出して取出し可能な状態にあることを意味する。
【００２０】
以下において、図４，５を参照して、母乳パッド３０ａの構成を説明するが、母乳パッド３０ｂも同様の構成を有する。母乳パッド３０ａは、略楕円状であって、縦方向において対向する、それぞれ、縦方向の外方へ凸曲した形状を有する第１及び第２端縁３１，３２と、横方向において対向する、それぞれ、縦方向へ直線状に延びる両側縁３３，３４とを有する。母乳パッド３０ａは、横方向へ延びるパッド折曲線３５をさらに有する。母乳パッド３０ａは、説明の便宜上、縦方向において、パッド折曲線３５から一方の端縁３１側へ延びる第１域６１と、パッド折曲線から他方の端縁３２側へ延びる第２域６２とに区分される。
【００２１】
パッド折曲線３５は、第１母乳パッド３０ａの縦方向の寸法を２等分する仮想の縦断中心線Ｐと並行して延びており、かつ、縦断中心線Ｐよりも第２端縁３２側に位置している。したがって、第１域６１は第２域６２よりも縦方向の寸法が大きくなっており、母乳パッド３０ａを肌対向面側が互いに対向するようにパッド折曲線３５に沿って２つ折りにしたときに、第２域６２よりも第１域６１は縦方向の外側へ延出する。
【００２２】
母乳パッド３０ａは、着用者の肌に対向する肌対向面とその反対側の非肌対向面と、肌対向面側に位置する透液性の内面シート４１と、非肌対向面側に位置する透液性の外面シート４２と、内面シート４１と外面シート４２との間に介在された吸収体４３とを有する。内外面シート４１，４２及び吸収体４３は、それらの対向面のいずれか一方に塗布された接着剤を介して互いに接合される。内外面シート４１，４２は、１枚の繊維不織布、繊維不織布と繊維不織布又は繊維不織布と合成樹脂フィルムとのラミネートシートから形成することができる。
【００２３】
外面シート４２の非肌対向面側には、縦方向へ延び、かつ、横方向において互いに間隔を空けて配置された複数のパッド止着域４４を有する。パッド止着域４４は、ブラジャー等の下着の内面に止着される複数の止着部４４ａを有する。止着部４４ａは、粘着性を有し、剥離紙から形成されたセパレータ（剥離紙）４６によって被覆されている。図示していないが、クッション性を付与するため及び／又は吸収された体液の液戻りを防止するために、内面シート４１と吸収体４３との間に、柔軟性に富んだ比較的に嵩高な繊維不織布からなるセカンドシートを配置してもよい。
【００２４】
吸収体４３は、超吸収性ポリマー粒子（ＳＡＰ）、粉砕パルプ等の吸液性材料の集合体である半剛性の吸収性コアと、ティッシュペーパー等の透液性シートで形成されていてコアを包被しているコアカバーシートとを有する。吸収体４３は、母乳パッド３０ａとほぼ同形状であって、縦方向の外側へ凸曲した両端縁４３ａ，４３ｂと、両端縁４３ａ，４３ｂ間において縦方向へ延びる両側縁４３ｃ，４３ｄとを有する。
【００２５】
母乳パッド３０ａは、吸収体４３の外周から延出する内外面シート４１，４２の延出部分から形成された外周フラップ４７をさらに有する。外周フラップ４７のうちの吸収体４３の両側縁４３ｃ，４３ｄから横方向の外側に位置する部分（サイドフラップ）には、母乳パッド３０ａの第１及び第２側縁２４，２５に沿って縦方向へ延びる外側弾性体４８が収縮状態で伸長可能に取り付けられている。
【００２６】
外側弾性体４８の横方向の内側において、外面シート４２と吸収体４３との間には、吸収体４３の両側縁４３ｃ，４３ｄと沿うように縦方向へ延びる内側弾性体４９が収縮状態で収縮可能に配置されている。母乳パッド３０ａは、内外側弾性体４８，４９を有することによって、着用状態において、着用者の乳房に沿う立体的に湾曲した形状（カップ形状）を呈することができる。母乳パッド３０ａが、さらに安定してカップ形状を呈するように、母乳パッド３０ａの外周フラップ４７及び吸収体４３の一部にエンボス加工を施してもよい。
【００２７】
母乳パッド３０ａ，３０ｂは、パッド折曲線３５を介して２つに折曲された状態において、パッド折曲線３５に沿う近位縁部６３と、近位縁部６３から縦方向へ延びる、パッド折曲線３５を介して互いに折り重ねられた第１及び第２域６１，６２の外周縁部から形成された遠位縁部６４を有する。ここで、第１及び第２域６１，６２の外周縁部とは、近位縁部６３を形成する部分を除き、第１及び第２域６１，６２それぞれの外形をなす部分を意味する。
【００２８】
母乳パッド３０ａ，３０ｂにおいて、近位縁部６３は、第１及び第２側縁２４，２５に沿う両側縁部間において横方向へ延びる部分であって、遠位縁部６４は、近位縁部６３から縦方向の外側へ凸曲するように第１及び第２域６１，６２の外周に沿って延びる部分（セパレータ４６の配置域を除く）を意味する。したがって、遠位縁部６４は、母乳パッド３０ａ，３０ｂの外周フラップ４７及び吸収体４３の一部を含む。
【００２９】
図２，３を参照すると、母乳パッド３０ａ，３０ｂは、パッド折曲線３５を介して２つ折りにされた態様で包装シート２０の内面に配置され、かつ、それぞれ被覆部５０ａ，５０ｂに被覆されている。具体的には、母乳パッド３０ａ，３０ｂの近位縁部６３及び近位縁部６３側の遠位縁部６４の一部が、被覆部５０ａ，５０ｂの収容スペース内に配置され、遠位縁部６４の一部が、被覆部５０ａ，５０ｂの開口端部５４から外部に露出されている。
【００３０】
母乳パッド３０ａ，３０ｂにパッド止着域４４を介して止着されたセパレータ４６は、包装シート２０のシート本体２１の内面に横方向へ延びる剥離可能な一対の固定部１６ａ，１６ｂを介して固定されている。固定部１６ａ，１６ｂは、公知の接着手段又は溶着手段によって形成されており、止着域よりも高い剥離強度を有する。固定部１６ａ，１６ｂは、母乳パッド３０ａ，３０ｂの第２域６２側のセパレータ４６を固定するための固定部（第１固定部）１６ａと、第１域６１側のセパレータ４６を固定するための固定部（第２固定部）１６ｂとを有する。
【００３１】
図２を参照すると、包装体１０の包装態様において、母乳パッド３０ａ，３０ｂは、厚さ方向Ｚにおいて互いに対向して位置しており、それらの遠位縁部６４は縦方向において互いに相異する向きとなっている。ここで、母乳パッド３０ａ，３０ｂの遠位縁部６４の向きが互いに相異するとは、包装体１０において近位縁部６３から縦方向へ延出する一方の遠位縁部６４が包装体１０の第１端縁１０ａ側に延出し、他方の遠位縁部６４が第２端縁１０ｂ側へ延出するように、互いに異なる端縁１０ａ，１０ｂ側へ延出していることを意味する。
【００３２】
包装体１０の包装状態において、母乳パッド３０ａ，３０ｂは、厚さ方向Ｚにおいてそれらの一部、例えば、半分以上の大きさを有する部分が互いに重なっていてもよいし、全く重なっていなくてもよい。図示例の包装体１０では、包装状態において、母乳パッド３０ａ，３０ｂの遠位縁部６４の向きが縦方向において互いに相異しており、半剛性の吸収体４３が折り曲げられた近位縁部６３どうしが厚さ方向Ｚにおいて互いに重なっていないことから、包装体１０全体の厚さに大きな偏りが発生して歪な外形となることはない。それによって、複数の包装体１０の積み重ねや持ち運びが容易であって、包装体１０を複数含む包装袋（パッケージ）にコンパクトに収容することができる。
【００３３】
また、包装体１０の縦方向における両端部分に、吸収体４３が折り曲げられることによって弾性反撥性を有する母乳パッド３０ａ，３０ｂの近位縁部６３がそれぞれ位置することによって、該両端部の剛性が比較的に高くなり、外部衝撃によって角部が折れたり型崩れしたりするのを抑制することができる。包装体１０の持ち運び易さや形状のコンパクトさを考慮して、母乳パッド３０ａ，３０ｂどうしの重なり合う部分は、母乳パッド３０ａ，３０ｂそれぞれの全体面積の４０〜８０％の大きさであることが好ましい。
【００３４】
再び、図３を参照すると、包装体１０の使用時に、止着タブ１９の止着を解除して展開した状態において、母乳パッド３０ａ，３０ｂの遠位縁部６４の向きが縦方向において同じであって、遠位縁部６４の一部は被覆部５０ａ，５０ｂから外部に露出している。ここで、包装体１０を展開した状態において、母乳パッド３０ａ，３０ｂの遠位縁部６４の向きが縦方向において同じであるとは、近位縁部６３から縦方向へ延出する遠位縁部６４が、両方ともに包装シート２０の第１端縁２２側又は第２端縁２３側へ、互いに同じ端縁２２，２３側へ延出していることを意味する。
【００３５】
本実施形態に係る包装体１０は、その展開状態、すなわち、母乳パッド３０ａ，３０ｂのうちのいずれか一方の母乳パッド３０ａの遠位縁部６４の一部が外部に露出して取出し可能な状態において、他方の母乳パッド３０ｂの遠位縁部６４の一部が露出して取出し可能な状態となっている。したがって、装着者は、包装体１０を展開して一方の母乳パッド３０ａを取り出す前に、他方の母乳パッド３０ｂの取出し方をイメージすることができ、２つの母乳パッド３０ａ，３０ｂの取り出し操作を速やかに、かつ、スムーズに行うことができる。
【００３６】
母乳パッド３０ａ，３０ｂが、展開状態においてかかる態様で配置されていることによって、装着者は、一方の手で第１端縁２２側の部分を抑えながら、他方の手で露出している遠位縁部６４の一部を摘持して被覆部５０ａ，５０ｂから母乳パッド３０ａ，３０ｂを容易に引っ張り出すことができる。また、母乳パッド３０ａの摘持部と母乳パッド３０ｂの摘持部とが縦方向において互い違いである場合には、母乳パッド３０ａを取り外した後に一方の手を持ち直して母乳パッド３０ｂを取り外す必要等があり手間であるが、母乳パッド３０ａ，３０ｂの遠位縁部６４の向きが縦方向において同じであることから、包装シート２０を持ち替えることなく、母乳パッド３０ａを取り出すときと同じ操作によって特に意識することなく母乳パッド３０ｂを包装体１０から取り出すことができる。
【００３７】
既述のとおり、パッド折曲線３５が縦断中心線Ｐに関して第２端縁２３側へ偏倚していることから、第１域６１の外周縁部が第２域６２の外周縁部よりも第１端縁２２側に延出している。また、第１域６１の外周縁部の端縁６１ａが、第２域６２の外周縁部の端縁６２ａよりも、第１端縁２２側に位置している。産後間もない装着者の場合には、強く摘持したときに指が強張ったり疼痛を感じたりするおそれがあるが、遠位縁部６４が段差状を有することによって、第１域６１の外周縁部のみからなる肉薄部分が摘持部となって、比較的に弱い力で第１母乳パッドを引っ張り出すことができる。
【００３８】
母乳パッド３０ａ，３０ｂにおいて、第２域６２の外周縁部の端縁６２ａは、第１域６１における吸収体４３の端縁４３ａよりも第２端縁２３側に位置している。かかる場合には、第１域６１の外周フラップ全体が比較的に肉薄な摘持部となるので、使用者は容易に摘持部を摘持することができる。
【００３９】
図７を参照すると、例えば、夜間に乳児が夜泣きをして授乳する場合において、授乳後に母乳パッド３０ａ，３０ｂを交換するときには、包装体１０のシート折曲線１８による折曲を解いた後に、包装体１０を台や膝の上に載置せずに包装シート２０を一方の手８で把持して垂れ下がった状態のまま母乳パッド３０ａ，３０ｂを取り外すことがある。
【００４０】
かかる場合において、母乳パッド３０ａの第１域６１が自重によってシート本体２１から離間して被覆部５０ａに支持されながら垂れ下がったような状態になるので、一方の手８で包装シート２０の一部をしっかりと抑えたまま、他方の手９で母乳パッド３０ａの遠位縁部６４の一部を摘持し易く、シート本体２１から引き剥がすようにそのまま下方へ引っ張ることができる。このとき、被覆部５０ａの両側固定部５１，５２が剥離されるとともに、止着域４４よりも固定部１６ｂの剥離強度が高いことから、止着域４４の止着が解かれて第１域６１がセパレータ４６から離間する。セパレータ４６は、固定部１６ｂを介して包装シート２０に取り残されたままの状態となるので、装着者は、母乳パッド３０ａを取り外して、すぐに止着域４４を介してブラジャーなどの下着の内面に貼付することができる。
【００４１】
また、母乳パッド３０ｂも母乳パッド３０ａと同様に、第１端縁２２側へ向かって遠位縁部６４の一部が露出していることから、母乳パッド３０ａと同様の操作で容易に取り外すことができる。このように、包装体１０を展開した後に、それが吊持された状態のまま母乳パッド３０ａ，３０ｂを同じ要領で、特に操作手順を意識することなくスムーズに取り外すことができるので、夜間の比較的に暗がりの室内から母乳パッド３０ａ，３０ｂの交換のためにわざわざ他の部屋に移動したり点灯したりする必要はなく、交換時に乳児の睡眠を妨げることはない。
【００４２】
かかる一連の操作は、生理用ナプキンの包装体から生理用ナプキンを取り出すときと同様の操作であって、装着者が初めての妊娠・出産を経験したばかりであって母乳パッドの取り扱いに不慣れな女性であっても、抵抗なくスムーズにかかる操作を行うことができる。
【００４３】
包装体１０において、母乳パッド３０ａ，３０ｂは、それぞれ被覆部５０ａ，５０ｂに被覆されているが、それらが折曲された状態でシート本体２１の内面に止着されている限りにおいて、母乳パッド３０ａ，３０ｂの少なくとも一方のみが被覆部５０ａ，５０ｂによって被覆されていてもよい。かかる場合には、例えば、包装シート２０を吊持して母乳パッド３０ａの取外し操作中に、その後で取り外される母乳パッド３０ｂが自重によって不用意に外れて止着域４４が布団等に触れるのを防止するために、母乳パッド３０ｂが被覆部５０ｂに被覆されていることが好ましい。
【００４４】
図示していないが、母乳パッド３０ａ，３０ｂ少なくとも一方において、吸収体４３が外周フラップ４７とは異なる色に着色されていてもよい。かかる場合には、装着者が吸収体４３の存在域を視認することによって、装着時の母乳漏れに対する安心感を得ることができるとともに、母乳パッド３０ａ，３０ｂの位置及び外周フラップ４７からなる摘持部を瞬時に把握することができる。また、吸収体４３の着色部分は、外面シート４２又は／及びセパレータを透過して視認されることが好ましく、さらには、被覆部５０ａ，５０ｂを透過して外部に視認されることが好ましい。吸収体４３に着色される色には、外周フラップ４７に使用されるシート材料が通常白色であることから、赤色、青色、緑色等の白色と異なる色を好適に用いることができる。
【００４５】
＜変形例１＞
図８は、本発明に係る包装体１０の変形例の一例における、図４と同様の断面図である。
【００４６】
本変形例において、母乳パッド３０ａの第２域６２の外周縁部の端縁６２ａは、第１域６１における吸収体４３の端縁４３ａよりも第１端縁２２側に位置する。本変形例においては、第２域６２における吸収体４３の端縁４３ｂが被覆部５０ａに被覆されるとともに、第１域６１における吸収体４３の端縁４３ａが第２域６２に被覆されることによって、包装体１０の展開された状態において、吸収体４３が外部に露出されていない。したがって、一方の母乳パッド３０ａ，３０ｂのみを使用・交換して、他方の母乳パッド３０ａ，３０ｂを保管するときに、吸収体４３が汚れることなく、衛生的に保管することができる。
【００４７】
＜変形例２＞
図９（ａ）は、本発明に係る包装体１０の他の変形例の一例における、図６と同様の母乳パッド３０ａの平面図である。
【００４８】
本変形例においては、第１域６１の外形寸法が第２域６２の外形寸法よりも大きくなっている。具体的には、第１域６１と第２域６２とを折り重ねた状態において、第１域６１が第２域６２の外周から延出しており、第１域６１の縦方向の寸法及び／又は横方向の寸法が第２域６２のそれらよりも大きくなっている。このように、第１域６１の外形寸法が第２域６２の外形寸法よりも大きく形成されていることによって、母乳パッド３０ａは、第２域６２の外周縁部から外方へ延出する、第１域６１の外周縁部から形成された比較的に幅広かつ肉薄の摘持部を有し、装着者は母乳パッド３０ａを取り外すときに摘持しやすくなる。
【００４９】
＜変形例３＞
図９（ｂ）は、本発明に係る包装体１０の他の変形例の一例における、図３と同様の展開平面図である。
【００５０】
本変形例においては、包装シート２０は、被覆部５０ａと被覆部５０ｂとの間において横方向へ延びる分離手段７０を有する。分離手段７０は、包装シート２０を分離・破断するものであって、ミシン目、溶着ライン等から形成される。包装シート２０を分離手段７０に沿って分離することによって母乳パッド３０ａが位置する部分と母乳パッド３０ｂが位置する部分とを分離することができるので、母乳パッド３０ａのみを交換して使用するときに、母乳パッド３０ｂが位置する部分をコンパクトかつ衛生的に保管することができる。
【００５１】
＜変形例４＞
図１０（ａ）は、本発明に係る包装体１０のさらに他の変形例の一例における、図３と同様の展開平面図、図１０（ｂ）は、図１０（ａ）のＸ（ｂ）−Ｘ（ｂ）線に沿う断面図である。
【００５２】
本変形例においては、包装シート２０が、互いに別体からなる、被覆部５０ａに被覆された母乳パッド３０ａが位置する第１シート８１と、被覆部５０ｂに被覆された母乳パッド３０ｂが位置する第２シート８２とを含む。第１シート８１と第２シート８２とは、互いに対向する面どうしが横方向へ延びる接合部８３を介して互いに接合されている。接合部８３は、剥離可能であって、公知の接着又は溶着手段によって形成される。第１シート８１と第２シート８２とは、接合部８３を剥離して互いに分離可能であるから、母乳パッド３０ａのみを交換して使用するときに、第２シート８２をコンパクトかつ衛生的に保管することができる。
【００５３】
＜第２実施形態＞
図１１は、第２実施形態に係る包装体１０の斜視図、図１２は、第２実施形態に係る包装シート２０を展開した状態における展開平面図である。
【００５４】
本実施形態においては、包装シート２０は、第１端縁２２と被覆部５０ａとの間において横方向へ延びるシート折曲線９０を有する。包装シート２０において、シート折曲線９０に沿って第１端縁２２側の部分を被覆部５０ａ，５０ｂへ向かって折り曲げて、被覆部５０ｂに止着タブ１９を止着することによって、包装体１０が形成される。
【００５５】
本実施形態においては、包装体１０の包装状態において、母乳パッド３０ａ，３０ｂの遠位縁部６４は、ともに縦方向において同じ向き、すなわち、包装体１０の第１端縁１０ａ側へ向いている。また、包装体１０の展開された状態において、母乳パッド３０ａ，３０ｂの遠位縁部６４は、ともに縦方向において同じ向き、すなわち、包装シート２０の第１端縁２２側へ向いており、かつ、それらの一部が被覆部５０ａ，５０ｂから露出している。
【００５６】
本実施形態に係る包装体１０においても、包装体１０の展開状態、すなわち、母乳パッド３０ａ，３０ｂのうちのいずれか一方の母乳パッド３０ａの遠位縁部６４の一部が外部に露出して取出し可能な状態において、他方の母乳パッド３０ｂの遠位縁部６４の一部が露出して取出し可能な状態となっている。したがって、装着者は、包装体１０を展開して一方の母乳パッド３０ａを取り出す前に、他方の母乳パッド３０ｂの取出し方をイメージすることができ、２つの母乳パッド３０ａ，３０の取出し操作を速やか、かつ、スムーズに行うことができる。また、母乳パッド３０ａ，３０ｂが厚さ方向Ｚにおいて互いに積層されていないことによって、第１実施形態に比べて包装体１０の縦方向の寸法が大きくなるが、厚さ方向Ｚは小さくなるので、外出時に複数携帯しても嵩張ることはない。
【００５７】
＜第３実施形態＞
図１３は、第３実施形態に係る包装体１０の斜視図、図１４は、第３実施形態に係る包装シート２０を展開した状態における展開平面図である。
【００５８】
本実施形態においては、包装シート２０は、第１端縁２２と被覆部５０ａとの間において横方向へ延びるシート折曲線９１を有する。包装シート２０において、シート折曲線９１に沿って第１端縁２２側の部分を被覆部５０ａ，５０ｂへ向かって折り曲げて、被覆部５０ｂに止着タブ１９を止着することによって、包装体１０が形成される。
【００５９】
母乳パッド３０ａ，３０ｂは、包装状態及び展開状態において、遠位縁部６４の向きが互いに相異している。すなわち、包装状態及び展開状態において、母乳パッド３０ａ，３０ｂは、縦方向において互いに対向するように配置されている。母乳パッド３０ａ，３０ｂを被覆する被覆部５０ａ，５０ｂも縦方向において互いに対向して開口するように配置されており、母乳パッド３０ａを被覆する被覆部５０ａの閉鎖端部５３は、シート折曲線９１に沿うように横方向へ延びている。
【００６０】
本実施形態においても、包装体１０の展開状態、すなわち、母乳パッド３０ａ，３０ｂのうちのいずれか一方の母乳パッド３０ａの遠位縁部６４の一部が外部に露出して取出し可能な状態において、他方の母乳パッド３０ｂの遠位縁部６４の一部が露出して取出し可能な状態となっている。したがって、装着者は、包装体１０を展開して一方の母乳パッド３０ａを取り出す前に、他方の母乳パッド３０ｂの取出し方をイメージすることができるので、母乳パッド３０ａ，３０ｂの遠位縁部６４の向きが互いに相異する場合であっても、速やかに、かつ、スムーズに２つの母乳パッド３０ａ，３０ｂの取出し操作を行うことができる。
【００６１】
上述した各変形例及び実施形態は、分離して又は互いに組み合わせて採択することができる。母乳パッド３０ａ，３０ｂの各構成部材には、明細書に明示されている場合を除いて、この種の分野において通常使用される材料を用いることができる。本発明の技術的効果を奏する限りにおいて、母乳パッド３０ａ,３０は、同形同大ではなく、互いに異なる大きさ、形状を有していてもよい。本明細書において使用されている「第１」〜「第３」等の用語は、同様の要素、位置等を単に区別するために用いてある。
【符号の説明】
【００６２】
１０  包装体
２０  包装シート
２１Ａ  内面
２１Ｂ  外面
２２    第１端縁（第２端縁）
２３    第２端縁（第１端縁）
２４，２５  第１，第２側縁
３０ａ  母乳パッド（第１母乳パッド）
３０ｂ  母乳パッド（第２母乳パッド）
３５    パッド折曲線
４１    内面シート
４２    外面シート
４３    吸収体
４３ａ  吸収体の端縁
４７    外周フラップ
５０ａ  被覆部
５０ｂ  被覆部
６１    第１域
６１ａ  第１域の外周縁部の端縁
６２    第２域
６２ａ  第２域の外周縁部の端縁
６３    近位縁部
６４    遠位縁部
７０    分離手段
８１    第１シート
８２    第２シート
８３    接合部
Ｘ      第２方向（横方向）
Ｙ      第１方向（縦方向）
Ｚ      厚さ方向
【図１】
2019112080.tif 000003
【図２】
2019112080.tif 000004
【図３】
2019112080.tif 000005
【図４】
2019112080.tif 000006
【図５】
2019112080.tif 000007
【図６】
2019112080.tif 000008
【図７】
2019112080.tif 000009
【図８】
2019112080.tif 000010
【図９】
2019112080.tif 000011
【図１０】
2019112080.tif 000012
【図１１】
2019112080.tif 000013
【図１２】
2019112080.tif 000014
【図１３】
2019112080.tif 000015
【図１４】
2019112080.tif 000016